(57)【特許請求の範囲】
【請求項１】
複数の電子回路基板を略平行に並べて収納する筐体の開口部を、複数の金属製の蓋パネルを並べて配置して塞ぐとともに、これら蓋パネル相互間および蓋パネルと筐体の間をコイルバネによって電気的に接続して上記筐体の開口部を電磁気的に全面シールドする電子機器ユニットのシールド構造において、
上記蓋パネルは、長方形状の主面部と、該主面部の長辺側を略直角に折り曲げることにより形成された一対の側面部と、を備え、
上記一対の側面部の少なくとも一方の側面部は、上記コイルバネの内周部に挿入することにより該コイルバネを上記一方の側面部に沿って取付け、該コイルバネの外周面を隣接する蓋パネルの一方の側面部に接触させるコイルバネ取付部を備え、
上記コイルバネ取付部は、スリットにより上下一対のバネ挿入部に分割されていて、
上記上下一対のバネ挿入部は、折り曲げ部を介して他方の側面部側に向けて突出する突出部を備えていることを特徴とする電子機器ユニットのシールド構造。
【発明の詳細な説明】
【技術分野】
【０００１】
本発明は、複数の電子回路基板を略平行に並べて収納する筐体の開口部を、複数の金属製の蓋パネルを並べて配置して塞ぐとともに、これら蓋パネル相互間および蓋パネルと筐体の間を接続部材によって電気的に接続して上記筐体の開口部を電磁気的に全面シールドする電子機器ユニットのシールド構造に関するものである。
【背景技術】
【０００２】
電子機器ユニットのシールド構造として、例えば図１１に示すように、複数の電子回路基板１０１を平行に並べて収納する筐体１０２の開口部１０３を、複数の金属製の蓋パネル１０４を並べて配置して塞ぐとともに、これら蓋パネル１０４相互間および蓋パネル１０４と上記筐体１０２の開口部１０３の側部とを接続部材１０５によって電気的に接続して上記筐体１０２の開口部１０３を電磁気的に全面シールドしたものが知られている。
【０００３】
上記蓋パネル１０４は、図１２に示すように、正面部１０４ａと、この正面部１０４ａの両側から電子回路基板装着方向外方に延在する相互に平行な一対の側面部１０４ｂ，１０４ｃとによって、略コ字状に形成されている。一方、上記接続部材１０５は、ステンレススチール等の薄い板材で形成されていて、ビス１０６により上記蓋パネル１０４の正面部１０４ａの背面に取り付けられる。上記接続部材１０５は、一側部に隣接する蓋パネル１０４の側面部１０４ｃに接触する複数の第1の接触爪部１０５ａを備え、上，下端に上記筐体１０２内側の上，下面に接触する隣接する蓋パネル１０４の側面部１０４ｃに接触する第２，第３の接触爪部１０５ｂ，１０５ｃを備えている。
【０００４】
そして、上記複数の第1の接触爪部１０５ａで、隣接する蓋パネル１０４相互を電気的に接続し、上記第２，第３の接触爪部１０５ｂ，１０５ｃで、上記蓋パネル１０４と上記筐体１０２の上，下面を電気的に接続して、蓋パネル１０４を接地する構成になっている。なお、上記蓋パネル１０４の一対の側面部１０４ｂ，１０４ｃ間には、イジェクタ（蓋ロック部材）１０７が回動可能に取り付けられている。（例えば特許文献１）。
【特許文献１】特開平３−８８３９６号公報（第３頁右上欄第1０〜１９行、第３頁右下欄第1〜２０行等）
【発明の開示】
【発明が解決しようとする課題】
【０００５】
ところで、上記従来のシールド構造においては、上述したように、上記金属製の蓋パネル１０４を、正面部１０４ａと、この正面部１０４ａの両側から電子回路基板装着方向外方に伸びる相互に平行な一対の側面部１０４ｂ，１０４ｃとによって、略コ字状に形成しているため、上記蓋パネル１０４の一対の側面部１０４ｂ，１０４ｃ間にイジェクタ（蓋ロック部材）１０７を回動可能に取り付けるのには便利であるが、蓋パネル１０４によって筐体１０２の奥行寸法が大きくなる。
【０００６】
そのため、例えば図１３に示すように、上記蓋パネル１０４の一対の側面部１０４ｂ，１０４ｃを正面部１０４ａに対して電子回路基板装着方向内方に伸ばすことにより、筐体１０２の奥行寸法が大きくならないようにした電子機器ユニットもある。このような電子機器ユニットにおいては、図１４に拡大して示したように、上記接続部材１０５を、板バネ材を折り曲げて断面略Ｕ字状に形成したクリップ部１０５ｄと、該クリップ部１０５ｄの一端部に連続する円弧状の接触部１０５ｅとで構成し、上記断面略Ｕ字状のクリップ部１０５ｄに上記一方の側面部１０４ｃを差し込んで取付け、上記円弧状の接触部１０５ｅを隣接する上記蓋パネル１０４の側面部１０４ｂに接触させ、或いは図１５に示すように、上記接続部材１０５を、導電性を持たせたウレタンフォームで半球形のガスケット状に形成して、これを一方の側面部１０４ｃに貼り付けるなどして取付け、上記半球形の接続部材１０５の先端部を隣接する上記蓋パネル１０４の側面部１０４ｂに接触させている。
【０００７】
しかし、前者のクリップタイプの接続部材１０５は、蓋パネル１０４の側面部１０４ｃを差し込むためのクリップ部１０５ｄが必要で、かつ蓋パネル１０４の側面部１０４ｃに安定した状態で取付けるためには、図１３に示すように、クリップ部１０５ｄを取付ける側面部１０４ｃの長さ寸法Ｌ１を長くする必要があることから、蓋パネル１０４の奥行寸法Ｌ２が長くなってしまう。（ＩＥＥＥ１１０１．１０の規格で定められている寸法を超えてしまう）。よって、隣接するスロットの電子回路基板１０１の部品リード１０８との絶縁距離Ｌ３を十分に確保することができない。
【０００８】
また、ガスケット状の接続部材１０５を使用した場合には、筐体１０２への蓋パネル１０４の挿抜の際に上記接続部材１０５にせん断方向の力が加わるために、ガスケット状の接続部材１０５が剥がれ落ちる虞がある。また、ガスケット状の接続部材１０５は、ウレタンフォーム等で形成されているため経年変化を起こして接触不良を起こす虞がある。
【０００９】
本願発明の目的は、上記従来の問題点を解決し、図１１〜図1５に示すような特別の接続部材を使用せずに、しかも、隣接するスロットの電子回路基板の部品リード等との絶縁距離を十分に確保することができ、且つ、蓋パネルからの接続部材の脱落を確実に防止することのできる電子機器ユニットのシールド構造を提供することにある。
【課題を解決するための手段】
【００１０】
請求項１の発明は、複数の電子回路基板を略平行に並べて収納する筐体の開口部を、複数の金属製の蓋パネルを並べて配置して塞ぐとともに、これら蓋パネル相互間および蓋パネルと筐体の間をコイルバネによって電気的に接続して上記筐体の開口部を電磁気的に全面シールドする電子機器ユニットのシールド構造において、
上記蓋パネルは、長方形状の主面部と、該主面部の長辺側を略直角に折り曲げることにより形成された一対の側面部と、を備え、
上記一対の側面部の少なくとも一方の側面部は、上記コイルバネの内周部に挿入することにより該コイルバネを上記一方の側面部に沿って取付け、該コイルバネの外周面を隣接する蓋パネルの一方の側面部に接触させるコイルバネ取付部を備え、
上記コイルバネ取付部は、スリットにより上下一対のバネ挿入部に分割されていて、
上記上下一対のバネ挿入部は、折り曲げ部を介して他方の側面部側に向けて突出する突出部を備えていることを特徴とする。
【発明の効果】
【００１５】
請求項１の電子機器ユニットのシールド構造には、次に述べるような効果がある。
（１）蓋パネル相互を電磁気的に接続する接続部材にコイルバネを使用したので、従来のように特別に接続部材を製造する必要はなく、既存のコイルバネを使用することができる。また、コイルバネの弾性を利用して、効果的に接続部材としてのコイルバネの外周側を隣接する蓋パネルの一方の側面部に接触させることができる。
（２）上記蓋パネルの一対の側面部の少なくとも一方の側面部に設けたコイルバネ取付部をコイルバネの内周部に挿入することにより該コイルバネを上記一方の側面部に沿って取付けて、該コイルバネの外周面を、隣接する蓋パネルの一方の側面部に接触させることができる。
（３）コイルバネ取付部をスリットにより上下一対のバネ挿入部に分割したので、上方のバネ挿入部をコイルバネの上端側に挿入すると共に、下方のバネ挿入部をコイルバネの下端側に挿入することにより、簡単且つ容易にコイルバネを取付けることができる。
（４）上記上下一対のバネ挿入部に、折り曲げ部を介して他方の側面部側に向けて突出する突出部を設けたので、該突出部によって一対のバネ挿入部の肉厚を厚くし、これによって上記コイルバネ取付部に取付けたコイルバネの直径方向への移動量を調整し、コイルバネの外周部を確実に隣接する蓋パネルの一方の側面部に接触させることができる。
【発明を実施するための最良の形態】
【００１６】
図１は本発明のシールド構造を施した電子機器ユニットの斜視図であり、複数の電子回路基板１を平行に並べて収納する筐体２の開口部３を、導電性を有する複数の金属製の蓋パネル４を並べて配置して塞ぐとともに、これら蓋パネル４相互および蓋パネル４と筐体２の開口部３の両側部を接続部材としてのコイルバネ４によって電気的に接続して蓋パネル４の接地を確保し、上記筐体２の開口部３を電磁気的に全面シールドしている。
【００１７】
図2〜図６は参考例を示す。上記蓋パネル４は、縦長の長方形状の主面部４ａと、該主面部４ａの長辺側を内方に略直角に折り曲げることにより形成された一対の側面部４ｂ，４ｃと、を備えていて、上記一対の側面部４ｂ，４ｃの少なくとも一方の側面部４ｃは、上記コイルバネ５の内周部に挿入することにより該コイルバネ５を上記一方の側面部４ｃに沿って取付けるコイルバネ取付部６を備えている。
【００１８】
上記コイルバネ取付部６は、第1，第２，第３のスリット７，８，９により上下一対の取付部６ａ，６ｂに分断されている。上記一対の取付部６ａ，６ｂの幅Ｗ１は、上記コイルバネ５の内径Ｄ１と略同じ幅に形成されている。
【００１９】
次に、コイルバネ５のコイルバネ取付部６への取付け方法の一例及びコイルバネ５の作用について説明する。コイルバネ５をコイルバネ取付部６へ取付ける際には、先ず図３に示すように、コイルバネ５の上端側を上記第1のスリット７から上方の取付部６ａに挿入したのち、コイルバネ５の下端側を上記第1のスリット７から下方の取付部６ａに挿入することにより、コイルバネ５は、図4に示すように、上半部５ａ内に上記取付部６ａが挿入され、下半部５ｂ内に上記取付部６ｂが挿入された状態で上記コイルバネ取付部６に取り付けられる。そして、コイルバネ５は、外周部の一部が上記蓋パネル４の主面部４ａに接触すると共に、内周部が上記取付部６ａ，６ｂに接触した状態になる。
【００２０】
上述のようにして、コイルバネ５をコイルバネ取付部６へ取付けた蓋パネル４を筐体２の開口部３に取付けると、図５に示すように、上記コイルバネ５の外周部は、隣接する蓋パネル４の一方の側面部４ｂに接触して押圧され、図6に示すように、倒れるようにして圧縮され、隣接する蓋パネル４の一方の側面部４ｂとの接触状態を維持する。同様に図１の最右側に位置する蓋パネル４のコイルバネ５の外周部は、筐体２の内面に接触し押圧されて筐体２との接触状態を維持する。そして、全ての蓋パネル４の接地が確保される。なお、電子回路基板１は、蓋パネル４に取付けて、蓋パネル４と一緒に出し入れする構成にしても、或いは、筐体２側に予め取付ける構成になっている。
【００２１】
図７〜図１０は、本発明のコイルバネ取付部６の実施例を示す。実施例において、コイルバネ取付部６を構成する上下一対の取付部６ａ，６ｂには、それぞれ折り曲げ部６ｃを介して他方の側面部４ｂ側に向けて突出する突出部６ｄが形成されている。図9に示すように、上記折り曲げ部６ｃ及び突出部６ｄによって、上記取付部６ａ，６ｂの厚さＴ１は、側面部４ｂの肉厚Ｔ２の３〜４倍程度で、かつ上記コイルバネ５の内径Ｄ１の２／３〜４／５前後に形成されている。
【００２２】
この実施例において、コイルバネ取付部６に取り付けられたコイルバネ５は、上記第1の実施例の場合に較べて、蓋パネル４の中央部側に変位させて取付けることができ、コイルバネ５の外周部の一部を確実に蓋パネル４の主面部４ａに接触させることができる。また、図１０に示すように、上記突出部６ｄによって取付部６ａ，６ｂの厚さＴ１を調整することにより、コイルバネ４の移動量Ｍ１を調整することができる。その他の構成は、参考例の場合と同様であるので重複する説明は省略する。
【図面の簡単な説明】
【００２３】
【図１】本発明のシールド構造を施した電子機器ユニットの斜視図。
【図２】参考例のコイルバネ取付部を示す斜視図。
【図３】参考例のコイルバネ取付部へのコイルバネの取付け方法の一例を示す説明図。
【図４】参考例のコイルバネ取付部へのコイルバネの取付けた状態を示す斜視図。
【図５】参考例のコイルバネが圧縮されている状態を示す平面図。
【図６】参考例のコイルバネが圧縮されて倒れた状態を示す斜視図。
【図７】本発明のコイルバネ取付部の実施例を示す斜視図。
【図８】本発明のコイルバネ取付部へのコイルバネの取付けた状態を示す斜視図。
【図９】本発明のコイルバネが圧縮されている状態を示す平面図。
【図１０】本発明のコイルバネ取付部の厚さとコイルバネの変位量の関係を示す説明図。
【図１１】従来例の電子機器ユニットのシールド構造の斜視図。
【図１２】蓋パネルの斜視図。
【図１３】従来例の問題点を示す説明図。
【図１４】従来例の問題点を示す説明図。
【図１５】従来例の問題点を示す説明図。
【符号の説明】
【００２４】
１…電子回路基板
２…筐体
３…開口部
４…蓋パネル
４ａ…主面部
４ｂ，４ｃ…一対の側面部
５…コイルバネ
６…コイルバネ取付部
６ａ，６ｂ…上下一対の挿入部
６ｃ…折り曲げ部
６ｄ…突出部
７…第1のスリット
８…第２のスリット
９…第３のスリット
【図１】
0004715583.tif 000002
【図２】
0004715583.tif 000003
【図３】
0004715583.tif 000004
【図４】
0004715583.tif 000005
【図５】
0004715583.tif 000006
【図６】
0004715583.tif 000007
【図７】
0004715583.tif 000008
【図８】
0004715583.tif 000009
【図９】
0004715583.tif 000010
【図１０】
0004715583.tif 000011
【図１１】
0004715583.tif 000012
【図１２】
0004715583.tif 000013
【図１３】
0004715583.tif 000014
【図１４】
0004715583.tif 000015
【図１５】
0004715583.tif 000016